(57)【要約】【課題】股間部分の吸収体の変形がウエスト側の吸収体に影響し難く、ウエスト側の吸収体が身体表面に沿う丸みある形状となり易いものとする。【解決手段】上記課題は、股間部分、腹側部分及び背側部分に吸収体１３を備えた、使い捨ておむつにおいて、吸収体１３は、股間部分の前後両側に設けられた、幅方向に連続する幅方向スリット１３Ｓにより前後方向に分割されるとともに、その幅方向スリット１３Ｓのウエスト側の縁の幅方向中央部に、ウエスト側に窪む凹部１７ｕ，１９ｕが形成されていることにより解決される。【選択図】図３
2016067366.tif 000002
【特許請求の範囲】
【請求項１】
股間部分、股間部分の腹側に延びる腹側部分、及び股間部分の背側に延びる背側部分を備え、
前記股間部分、腹側部分及び背側部分に吸収体を備えた、使い捨ておむつにおいて、
前記吸収体は、股間部分の前後少なくとも一方側に設けられた、幅方向に連続する幅方向スリットにより前後方向に分割されるとともに、その幅方向スリットのウエスト側の縁の幅方向中央部に、ウエスト側に窪む凹部が形成されている、
ことを特徴とする使い捨ておむつ。
【請求項２】
前記凹部は、ウエスト側に向かうにつれて幅が狭くなる形状を有している、請求項１記載の使い捨ておむつ。
【請求項３】
前記凹部の幅方向両側縁を近付ける方向に収縮力が作用する凹部変形用弾性部材を備えた、請求項１又は２記載の使い捨ておむつ。
【請求項４】
前記凹部変形用弾性部材は、股間部分側に湾曲しつつ凹部を横切るように配置された細長状弾性部材である、請求項３記載の使い捨ておむつ。
【請求項５】
前身頃及び後身頃を個別又は一体的に形成する外装体と、前記前身頃から後身頃にわたるように前記外装体の内面に取り付けられた、前記吸収体を含む内装体とを備え、
前記前身頃の外装体の両側縁部と後身頃の外装体の両側縁部とが接合されてサイドシール部が形成されることにより、ウエスト開口部及び左右一対の脚開口部が形成された、
パンツタイプ使い捨ておむつであって、
前記外装体における一方のサイドシール部から他方のサイドシール部にかけてフィット弾性部材が設けられており、
このフィット弾性部材の一部が、前記凹部変形用弾性部材として前記凹部を横切るように配置された、
請求項３〜４のいずれか１項に記載の使い捨ておむつ。
【請求項６】
前記フィット弾性部材は、前記内装体と重なる領域の少なくとも幅方向中間部が、前記凹部変形用弾性部材となる部分を除いて細かく切断されている、請求項５記載のパンツタイプ使い捨ておむつ。
【請求項７】
前記幅方向スリットの少なくとも一方は、幅方向両側に向かうにつれて隙間幅が拡大するように形成されている、請求項１〜６のいずれか１項に記載の使い捨ておむつ。
【請求項８】
前記股間吸収体における幅方向中央部に前後方向に延びる易折り曲げ部が形成されている、請求項１〜７のいずれか１項に記載の使い捨ておむつ。
【発明の詳細な説明】
【技術分野】
【０００１】
本発明は、吸収体のフィット性を改善した使い捨ておむつに関する。
【背景技術】
【０００２】
例えば、パンツタイプ使い捨ておむつは、装着者の腹側から股間を通り背側まで延在する外装体と、この外装体の内面に固定された、吸収体を含む内装体とを備え、外装体の腹側の両側縁部と外装体の背側の両側縁部とが接合されることにより、ウエスト開口部及び左右一対の脚開口部が形成されているものであり、内装体の表面両側部には身体側に突出する立体ギャザーを備えたものが一般的となっている。
【０００３】
また、パンツタイプ使い捨ておむつにおいては、身体へのフィット性を向上させるために、外装体に、ウエスト部弾性部材、ウエスト下方部弾性部材及び湾曲弾性部材等、種々の弾性部材を伸長状態で固定することが行われている（例えば特許文献１、２参照）。ここに、ウエスト部弾性部材は、ウエスト開口部の縁部に、縦方向に間隔を空けて幅方向に沿って複数本平行に配置されているものである。また、ウエスト下方部弾性部材は、ウエスト部弾性部材よりも前後方向中央部側の領域に、縦方向に間隔を空けて幅方向に沿って配置されているものである。さらに、湾曲弾性部材は、前身頃及び後身頃の少なくとも一方において、一方のサイドシール部から一方のレッグ開口部に沿って股間部分に向かい、股間部分を横断し、かつ他方のレッグ開口部に沿って他方のサイドシール部に至るパターンで、湾曲しつつ延在するものである。これら弾性部材は、幅方向中央部における内装体と重なる部分を細かく切断し、内装体の収縮を防止することが一般的である。
【０００４】
また、製造上の理由により、内装体の平面形状は長方形であるものの、股間部分におけるフィット性を改善するために、吸収体の股間部分を脚周りに沿う括れ形状とすることも良く行われている。
【０００５】
パンツタイプ使い捨ておむつの他にも、装着時に背側部分の両側部のテープを腹側部分に係止するテープタイプ使い捨ておむつや、腹側部分及び背側部分の両側部を連結しないパッドタイプ使い捨ておむつがあり、これらのものにおいても、同様に弾性部材によるフィット性の向上や吸収体の括れ形状が各種提案されている。
【０００６】
しかしながら、使い捨ておむつでは、平坦に形成された吸収体を身体表面形状に沿うように強制的に変形させ、各部の弾性部材の締め付け力を利用して身体表面に押え付けることによりフィット性を確保していたため、吸収体に不必要な折り目が発生し、その部分の表面と身体表面との間に隙間が発生し、漏れ易くなったり、装着感が悪化したりするという問題点があった。
【０００７】
このような問題点に対して、吸収体にスリットや括れを設けることの提案（例えば特許文献１、２参照）は種々なされているが、まだ改善の余地がある。すなわち、使い捨ておむつは、装着時に股間部分が両脚の間に挟まれて幅方向の圧縮力を受けて収縮変形するため、その収縮がウエスト側に伝わり、ウエスト側の吸収体が身体表面に沿う丸みある形状となり難いという問題点があり、この点を改善する提案はなされていない。
【先行技術文献】
【特許文献】
【０００８】
【特許文献１】特開２００９−１１３７７号公報
【特許文献２】特開２０１１−１７７３０９号公報
【発明の概要】
【発明が解決しようとする課題】
【０００９】
そこで本発明の主たる課題は、股間部分の吸収体の変形がウエスト側の吸収体に影響し難く、ウエスト側の吸収体が身体表面に沿う丸みある形状となり易い使い捨ておむつを提供することにある。
【課題を解決するための手段】
【００１０】
上記課題を解決した本発明は次のとおりである。
＜請求項１記載の発明＞
股間部分、股間部分の腹側に延びる腹側部分、及び股間部分の背側に延びる背側部分を備え、
前記股間部分、腹側部分及び背側部分に吸収体を備えた、使い捨ておむつにおいて、
前記吸収体は、股間部分の前後少なくとも一方側に設けられた、幅方向に連続する幅方向スリットにより前後方向に分割されるとともに、その幅方向スリットのウエスト側の縁の幅方向中央部に、ウエスト側に窪む凹部が形成されている、
ことを特徴とする使い捨ておむつ。
【００１１】
（作用効果）
本発明では、股間部分の前後少なくとも一方側に設けられた、幅方向に連続する幅方向スリットにより前後方向に分割されているため、股間部分における吸収体の変形が幅方向スリットのウエスト側に影響し難くなる。その上で、幅方向スリットのウエスト側の縁の幅方向中央部に、ウエスト側に窪む凹部が形成されていると、吸収体における幅方向スリットのウエスト側の部分が独立的に（股間部分の変形の影響少なく）変形可能であることもあって、凹部が閉じる（凹部の幅方向両側縁が近付く）ように変形して当該凹部を有する吸収体が身体表面に沿うような丸みある形状となり易い。その結果、平坦に形成された吸収体を身体表面形状に沿うように変形させるとしても、より良好なフィット性が得られるようになり、漏れ防止や装着感の向上を図ることができる。
【００１２】
＜請求項２記載の発明＞
前記凹部は、ウエスト側に向かうにつれて幅が狭くなる形状を有している、請求項１記載の使い捨ておむつ。
【００１３】
（作用効果）
凹部がこのような形状を有していると、凹部が閉じるように変形し易くなり、かつ閉じた状態で吸収体に生じる隙間も少ないものとなる。
【００１４】
＜請求項３記載の発明＞
前記凹部の幅方向両側縁を近付ける方向に収縮力が作用する凹部変形用弾性部材を備えた、請求項１又は２記載の使い捨ておむつ。
【００１５】
（作用効果）
このような凹部変形用弾性部材を設けることにより、凹部を閉じる変形を促進し、かつ閉じた状態に弾性的に維持することができる。
【００１６】
＜請求項４記載の発明＞
前記凹部変形用弾性部材は、股間部分側に湾曲しつつ凹部を横切るように配置された細長状弾性部材である、請求項３記載の使い捨ておむつ。
【００１７】
（作用効果）
凹部変形用弾性部材は、このように湾曲配置の細長状弾性部材とすると、凹部を閉じる変形を促進し、かつ閉じた状態に弾性的に維持する作用がより一層となる。特に、請求項２記載の発明のように、凹部がウエスト側に向かうにつれて幅が狭くなる形状を有している場合に好適である。
【００１８】
＜請求項５記載の発明＞
前身頃及び後身頃を個別又は一体的に形成する外装体と、前記前身頃から後身頃にわたるように前記外装体の内面に取り付けられた、前記吸収体を含む内装体とを備え、
前記前身頃の外装体の両側縁部と後身頃の外装体の両側縁部とが接合されてサイドシール部が形成されることにより、ウエスト開口部及び左右一対の脚開口部が形成された、
パンツタイプ使い捨ておむつであって、
前記外装体における一方のサイドシール部から他方のサイドシール部にかけてフィット弾性部材が設けられており、
このフィット弾性部材の一部が、前記凹部変形用弾性部材として前記凹部を横切るように配置された、
請求項３〜４のいずれか１項に記載の使い捨ておむつ。
【００１９】
（作用効果）
パンツタイプ使い捨ておむつの外装体にはフィット性を向上させるための弾性部材が設けられることが一般的となっているため、この弾性部材を利用して前述の凹部変形用弾性部材を構成するのは好ましい。
【００２０】
＜請求項６記載の発明＞
前記フィット弾性部材は、前記内装体と重なる領域の少なくとも幅方向中間部が、前記凹部変形用弾性部材となる部分を除いて細かく切断されている、請求項５記載のパンツタイプ使い捨ておむつ。
【００２１】
（作用効果）
パンツタイプ使い捨ておむつでは、フィット弾性部材による内装体の不必要な収縮を防止することが好ましいため、上述のように、内装体と重なる領域の少なくとも幅方向中間部が、前記凹部変形用弾性部材となる部分を除いて細かく切断され、伸縮性が殺されているのが好ましい。
【００２２】
＜請求項７記載の発明＞
前記幅方向スリットの少なくとも一方は、幅方向両側に向かうにつれて隙間幅が拡大するように形成されている、請求項１〜６のいずれか１項に記載の使い捨ておむつ。
【００２３】
（作用効果）
幅方向スリットは等しい隙間幅で幅方向に連続していても良いが、このように、幅方向両側に向かうにつれて隙間幅が拡大するように形成されていると、より一層、凹部が閉じるように変形して当該凹部を有する吸収体が丸みある形状となり易くなるため好ましい。
【００２４】
＜請求項８記載の発明＞
前記股間吸収体における幅方向中央部に前後方向に延びる易折り曲げ部が形成されている、請求項１〜７のいずれか１項に記載の使い捨ておむつ。
【００２５】
（作用効果）
使い捨ておむつでは、フィット性や液拡散性等を向上する目的で、吸収体の幅方向中央部にスリットやエンボス加工等の易折り曲げ部を設けることがあり、その場合、従来の吸収体では、易折り曲げ部に起因する変形が腹側部分及び背側部分に影響を及ぼすおそれがあるが、本発明ではその影響が少ないものとなる。なお、易折り曲げ部とは、スリットやエンボス加工、二層構造の段差等、折れ曲がり位置となる部分の事を意味する。
【発明の効果】
【００２６】
以上のとおり、本発明によれば、股間部分の吸収体の変形がウエスト側の吸収体に影響し難く、ウエスト側の吸収体が身体表面に沿う丸みある形状となり易い使い捨ておむつとなる、等の利点がもたらされる。
【図面の簡単な説明】
【００２７】
【図１】展開状態のパンツタイプ使い捨ておむつの平面図（内面側）である。
【図２】展開状態のパンツタイプ使い捨ておむつの平面図（外面側）である。
【図３】吸収体の要部平面図である。
【図４】図１のＣ−Ｃ断面図である。
【図５】図１のＡ−Ａ断面図である。
【図６】図１のＢ−Ｂ断面図である。
【図７】パンツタイプ使い捨ておむつの装着状態の斜視図である。
【図８】弾性部材のカットパターンを示す平面図である。
【図９】ダミー人形に装着した状態のパンツタイプ使い捨ておむつの写真である。
【図１０】ダミー人形に装着した状態のパンツタイプ使い捨ておむつの写真である。
【図１１】吸収体の要部平面図である。
【図１２】吸収体の要部平面図である。
【図１３】吸収体の要部平面図である。
【図１４】吸収体の要部平面図である。
【発明を実施するための形態】
【００２８】
以下、本発明の一実施形態について、添付図面を参照しつつ詳説する。なお、用語「伸長率」は自然長を１００％としたときの値を意味する。また、図中の点模様部分はホットメルト接着剤等の接合手段を示している。
図１〜図７はパンツタイプ使い捨ておむつを示している。このパンツタイプ使い捨ておむつ（以下、単におむつともいう。）は、前身頃Ｆ及び後身頃Ｂを一体的に形成する外装体２０と、前身頃Ｆから後身頃Ｂにわたるように外装体２０の内面に固定された内装体１０とを有しており、内装体１０は液透過性表面シート１１と液不透過性裏面側シート１２との間に吸収体１３が介在されてなるものである。製造に際しては、外装体２０の内面（上面）に対して内装体１０の裏面がホットメルト接着剤などの接合手段によって接合（図２の点模様部分）された後に、内装体１０および外装体２０が前身頃Ｆ及び後身頃Ｂの境界である縦方向（前後方向）中央で折り畳まれ、その両側部が相互に熱溶着またはホットメルト接着剤などによって接合されてサイドシール部２１が形成されることによって、ウエスト開口部及び左右一対のレッグ開口部が形成されたパンツタイプ使い捨ておむつとなる。
【００２９】
（内装体の構造例）
内装体１０は、図４〜図６に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。内装体１０の平面形状は特に限定されないが、図示形態のように略長方形とすることが一般的である。
【００３０】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００３１】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００３２】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
吸収体１３の全体形状は、股間部分に前後両側よりも幅の狭い括れ部分１３Ｎを有する略砂時計状に形成されているが、長方形状等、適宜の意形状とすることができる。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状が略長方形とされていると、内装体１０における吸収体１３の括れ部分１３Ｎと対応する部分に、吸収体１３を有しない余り部分が形成される。
【００３３】
内装体１０の両側部には脚周りにフィットする立体ギャザーＢＳが形成されている。この立体ギャザーＢＳは、図５及び図６に示されるように、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、折返しによって二重シートとしたギャザー不織布１５により形成されている。
【００３４】
また、二重シート間には、自由部分の先端部等に細長状ギャザー弾性部材１６が配設されている。ギャザー弾性部材１６は、製品状態において図５に二点鎖線で示すように、弾性伸縮力により吸収体側縁部より突出する不織布部分を起立させて立体ギャザーＢＳを形成するためのものである。
【００３５】
液不透過性裏面側シート１２は、二重シート状のギャザー不織布１５の内部まで進入し、図５に示されるように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３６】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材１６としては、図示形態のような糸状の他、ある程度の幅を有するテープ状のものを用いることもできる。
【００３７】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３８】
（外装体の構造例）
外装体２０は、図４〜図６にも示されるように、それぞれ不織布等からなる押えシート２０Ａ及びバックシート２０Ｂからなる２層構造とされ、押えシート２０Ａとバックシート２０Ｂとの間、及びバックシート２０Ｂをウエスト開口縁で内面側に折り返してなる折り返し部分２０Ｃの不織布間に各種弾性部材が配設され、伸縮性が付与されている。平面形状は、中間両側部にそれぞれレッグ開口部を形成するために形成された凹状の脚周りライン２９により、全体として擬似砂時計形状をなしている。コスト削減及び股間部の通気性向上のために、押えシート２０Ａ及びバックシート２０Ｂを前後に二分割し、両者が股間部で離間するように配置した構造とするか、もしくは、押えシート２０Ａ及びバックシート２０Ｂのいずれか一方を前後に二分割して、分割したシートが股間部で離間するように配置し、股間部のシートが１枚の構造としてもよい。
【００３９】
図示形態の外装体２０においては、弾性部材として、図１〜図３に示される展開形状において、ウエスト開口部近傍２３に配置されたウエスト部弾性部材２４と、前身頃Ｆ及び後身頃Ｂに、縦方向に間隔をおいて幅方向に沿って配置された複数のウエスト下方部弾性部材２５とを有するとともに、前身頃Ｆ及び後身頃Ｂのそれぞれにおいて、ウエスト下方部弾性部材群２５とは別に、一方のサイドシール部２１から一方のレッグ開口部に沿って股間部分に向かい、股間部分を横断し、かつ他方のレッグ開口部に沿って他方のサイドシール部２１に至るパターンで湾曲しつつ延在する、互いに交差することなく間隔をおいて配置された複数本の湾曲弾性部材２６，２８を備えている。これら、弾性部材２４〜２８は、それぞれその延在方向に沿って所定の伸長率で伸長された状態で固定されている。なお、本外装体２０では、脚周りライン２９に沿って前身頃Ｆのサイドシール部から後身頃Ｂのサイドシール部まで連続する、所謂脚周り弾性部材は設けられていないが、設けても良い（図示略）。
【００４０】
ウエスト部弾性部材２４は、前身頃Ｆと後身頃Ｂとが接合されたサイドシール部２１の範囲の内、ウエスト開口縁近傍に縦方向に間隔をおいて配置された複数条の糸ゴム等の細長状弾性部材であり、身体の胴周りを締め付けるように伸縮力を与えることによりおむつを身体に装着するためのものである。このウエスト部弾性部材２４は、図示例では糸ゴムを用いたが、例えばテープ状の伸縮部材を用いてもよい。また、図示形態のウエスト部弾性部材２４は、ウエスト部におけるバックシート２０Ｂの折り返し部分２０Ｃの不織布間に挟持されているが、押えシート２０Ａとバックシート２０Ｂとの間に挟持しても良い。
【００４１】
ウエスト下方部弾性部材２５は、サイドシール部２１の内、概ね上部から下部までの範囲に亘り、縦方向に間隔をおいて配置された糸ゴム等の細長状弾性部材であり、前身頃Ｆ及び後身頃Ｂの腰周り部分に夫々幅方向の伸縮力を与え、おむつを身体に密着させるためのものである。なお、ウエスト部弾性部材２４とウエスト下方部弾性部材２５との境界は必ずしも明確でなくてよい。例えば、前身頃Ｆ及び後身頃Ｂに縦方向に間隔をおいて幅方向に配置された弾性部材の内、数は特定できなくても、上部側の何本かがウエスト部弾性部材として機能し、残りの弾性部材がウエスト下方部弾性部材として機能していればよい。
【００４２】
後身頃Ｂにおいて、ウエスト下方部弾性部材２５とは別に配設された背側湾曲弾性部材２６は、糸ゴム等の細長状弾性部材であり、所定の曲線に沿って配置されている。背側湾曲弾性部材２６は、一本であっても良いが複数本であるのが好ましく、図示例では４本の糸ゴム等の細長状弾性部材であり、これら背側湾曲弾性部材２６は互いに交差することなく、間隔をおいて配置されている。この背側湾曲弾性部材群２６は、２，３本程度の弾性部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは４本以上配置される。
【００４３】
外装体２０の前身頃Ｆにおいて、ウエスト下方部弾性部材群２５とは別に配設された腹側湾曲弾性部材２８は糸ゴム等の細長状弾性部材であり、所定の曲線に沿って配置されている。腹側湾曲弾性部材２８は、一本であっても良いが複数本であるのが好ましく、図示例では４本の糸状弾性部材であり、これら腹側湾曲弾性部材２８は、互いに交差することなく、間隔をおいて配置されている。この腹側湾曲弾性部材群２８も、２，３本程度の弾性部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは４本以上配置される。
【００４４】
なお、後述する図８も分かるように、前身頃Ｆ及び後身頃Ｂに配置されたウエスト下方部弾性部材２５及び湾曲弾性部材２６，２８は、製造時に外装体に対して連続的に固定した後に、内装体と重なる部分の一部または全部が、所定の切断パターンＣＰで細かく切断されて収縮力が作用しない非収縮部分（つまり、図８の切断パターンＣＰと重なる部分）とされ、この非収縮部分より側方に延在する部分が収縮力の作用する収縮部分（つまり、図８の切断パターンＣＰより側方の、ウエスト下方部弾性部材２５及び湾曲弾性部材２６，２８が連続的に残された部分）とすることができる。このため、ウエスト下方部弾性部材２５及び湾曲弾性部材２６，２８は、一方側のサイドシール部２１から内装体１０を横切って他方（反対）側のサイドシール部２１まで連続的に設けた後に、内装体と重なる部分の一部または全部が、細かく切断される。これにより、内装体（特に吸収体１３）の幅方向の不必要な収縮を防止することができる。もちろん、ウエスト下方部弾性部材２５及び湾曲弾性部材２６，２８を、内装体１０を横切って連続的に配置することもできる。
【００４５】
上述した外装体２０は、例えば特開平４−２８３６３号公報や、特開平１１−３３２９１３号公報記載の技術により製造することができる。また、湾曲弾性部材２６，２８を内装体１０上で切断し不連続化するには、特開２００２−３５０２９号公報、特開２００２−１７８４２８号公報及び特開２００２-２７３８０８号公報に記載される切断方法が好適に採用される。
【００４６】
図示例とは異なり、湾曲弾性部材２６，２８を、前身頃Ｆ及び後身頃Ｂのいずれか一方にのみ設けるだけでも良い。また、湾曲弾性部材２６，２８を、前身頃Ｆ及び後身頃Ｂの両方に設ける場合、前身頃Ｆ側に配置された湾曲弾性部材２８の群の一部又は全部と、後身頃Ｂ側に配置された湾曲弾性部材２６の群の一部又は全部とが交差する形態（図示せず）も採用できるが、図示例のように、前身頃Ｆ側に配置された湾曲弾性部材２８の群と、後身頃Ｂ側に配置された湾曲弾性部材２６の群とは互いに交差することなく前後方向中間部、特に前身頃Ｆに若干偏った位置で縦方向に離間している形態が好適である。
【００４７】
さらに、湾曲弾性部材２６，２８はその全体が湾曲していなくても良く、部分的に直線状の部分を有していても良い。
【００４８】
弾性部材２４〜２８の固定時の伸長率は適宜定めることができるが、通常の成人用の場合、ウエスト部弾性部材２４は１６０〜３２０％程度、ウエスト下方部弾性部材２５は２３０〜３２０％程度、湾曲弾性部材２６，２８は２３０〜３２０％程度とすることができる。
【００４９】
（前後押えシート）
図１及び図４にも示されるように、外装体２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００５０】
図示形態のように、前後押えシート５０，６０を別体として取り付けると、素材選択の自由度が高くなる利点があるものの、資材や製造工程が増加する等のデメリットもある。そのため、外装体２０をおむつ内面に折り返してなる折り返し部分２０Ｃを、内装体１０と重なる部分まで延在させて、前述の押えシート５０，６０と同等の部分を形成することもできる。
【００５１】
（吸収体分割構造について）
特徴的には、図３及び図４にも示すように、吸収体１３は、股間部分及び腹側部分の境界並びに股間部分及び背側部分の境界にそれぞれ設けられた、幅方向に連続する幅方向スリット１３Ｓにより、前後方向に腹側吸収体１７、股間吸収体１８、及び背側吸収体１９に分割（不連続と）されている。また、幅方向スリット１３Ｓのウエスト側の縁、つまり腹側吸収体１７の後縁１７ｅ及び背側吸収体１９の前縁１９ｅの幅方向中央部に、ウエスト側に窪む凹部１７ｕ，１９ｕが形成されている。このように、幅方向に連続する幅方向スリット１３Ｓにより、吸収体１３が腹側吸収体１７、股間吸収体１８、背側吸収体１９に分割されていると、図９に示す皺の状態からも分かるように、股間吸収体１８の変形が腹側吸収体１７及び背側吸収体１９に影響し難くなる。その上で、幅方向スリット１３Ｓのウエスト側の縁１７ｅ，１９ｅの幅方向中央部に、ウエスト側に窪む凹部１７ｕ，１９ｕが形成されていると、腹側吸収体１７及び背側吸収体１９が独立的に（股間吸収体１８の変形の影響少なく）変形可能であることもあって、図９及び図１０に矢印で示すように、凹部１７ｕ，１９ｕが閉じる（凹部１７ｕ，１９ｕの幅方向両側縁が近付く）ように変形しつつ、腹側吸収体１７及び背側吸収体１９が身体表面に沿うような丸みある形状に変形するようになる。その結果、平坦に形成された吸収体１３を身体表面形状に沿うように変形させるとしても、より良好なフィット性が得られるようになり、漏れ防止や装着感の向上を図ることができる。
【００５２】
幅方向スリット１３Ｓの位置はおむつのサイズに応じて適宜定めることができるが、通常の場合、吸収体１３の前端位置を０％とし、吸収体１３の後端位置を１００％としたとき、腹側の幅方向スリット１３Ｓの位置は１５〜４０％の位置とすることが好ましく、背側の幅方向スリット１３Ｓの位置は５０〜８０％の位置とすることが好ましい。幅方向スリット１３Ｓは、図示形態のように股間部分の前後両側に設けられるほか、前後いずれか一方にのみ設けることができる。
【００５３】
幅方向スリット１３Ｓの隙間幅ｄ１は適宜定めれば良いが、狭すぎるとスリットを設ける意味が薄れ、広すぎると拡散性や吸収量の低下をもたらすため、３〜１５ｍｍ程度とすることが好ましい。幅方向スリット１３Ｓは等しい隙間幅ｄ１で幅方向に連続していても良いが、図１１に示すように、幅方向両側に向かうにつれて隙間幅ｄ１が拡大するように形成されていると、より一層、凹部１７ｕ，１９ｕが閉じるように変形して当該凹部１７ｕ，１９ｕを有する吸収体１３が丸みある形状となり易くなるため好ましい。幅方向スリット１３Ｓが股間部分の前後両側に設けられる場合にあっては、腹側の幅方向スリット１３Ｓ及び背側の幅方向スリット１３Ｓのいずれか一方のみ、隙間幅ｄ１が変化する形態とすことができる。この幅方向スリット１３Ｓの隙間幅ｄ１の変化は、幅方向スリット１３Ｓのウエスト側の縁１７ｅ，１９ｅ及び股間部分側の縁１８ｅの両方が湾曲することにより形成されていても良いが、股間部側の縁１８ｅがウエスト側に湾曲することにより形成されているとより好ましい。
【００５４】
凹部１７ｕ，１９ｕは、図示形態では腹側の幅方向スリット１３Ｓ及び背側の幅方向スリット１３Ｓの両方に形成しているが、幅方向スリット１３Ｓが股間部分の前後両側に設けられる場合であっても、腹側の幅方向スリット１３Ｓ及び背側の幅方向スリット１３Ｓのいずれか一方にのみ形成することができる。
【００５５】
凹部１７ｕ，１９ｕの形状は適宜定めることができ、矩形状やウエスト側に向かうにつれて幅が広くなる逆台形状とすることもできるが、図示形態のようにウエスト側に向かうにつれて幅が狭くなる形状、例えば三角形状や台形状とすると、凹部１７ｕ，１９ｕが閉じるように変形し易くなり、かつ閉じた状態で吸収体１３に生じる隙間も少ないものとなるため好ましい。また、凹部１７ｕ，１９ｕの寸法は適宜定めることができるが、幅ｗは５〜２５ｍｍ程度とすることが好ましく、深さ（前後方向長さ）ｄ２は２０〜５０ｍｍ程度とすることが好ましい。凹部１７ｕ，１９ｕの深さｄ２は、腹側に設けるもの及び背側に設けるもので同じにしても、また異ならしめても良い。特に、図１２に示すように、背側に設ける凹部１９ｕの深さｄ２を腹側に設ける凹部１７ｕの深さｄ２よりも深くすると、臀部の形状によりフィットするようになるため好ましい。
【００５６】
凹部１７ｕ，１９ｕは装着に伴う変形により閉じる方向の力が作用するが、凹部１７ｕ，１９ｕの機能をより確実に発揮させるために、凹部１７ｕ，１９ｕの幅方向両側縁を近付ける方向に収縮力が作用する凹部変形用弾性部材３０を設けるのは好ましい。このような凹部変形用弾性部材３０を設けることにより、凹部１７ｕ，１９ｕを閉じる変形を促進し、かつ閉じた状態に弾性的に維持することができる。凹部変形用弾性部材３０は省略することもできる。
【００５７】
図示形態のようなパンツタイプ使い捨ておむつの外装体２０には、フィット性を向上させるための弾性部材２５，２６，２８が一方のサイドシール部２１から他方のサイドシール部２１にかけて設けられることが一般的となっているため、この弾性部材２５，２６，２８の一部を前述の凹部変形用弾性部材３０として凹部１７ｕ，１９ｕを横切るように配置しているが、凹部変形用弾性部材３０として専用の弾性部材を別途取り付けることもできる。図示形態では、湾曲弾性部材２６，２８を利用しているが、ウエスト下方部弾性部材２５を利用することもできる。
【００５８】
凹部変形用弾性部材３０は、幅方向に沿って直線状に凹部１７ｕ，１９ｕを横切る形態としても良いが、図１３に示すように、股間部分側に湾曲しつつ凹部１７ｕ，１９ｕを横切るように配置されていると、凹部１７ｕ，１９ｕを閉じる変形を促進し、かつ閉じた状態に弾性的に維持する作用がより一層となる。特に、図示形態のように、凹部１７ｕ，１９ｕがウエスト側に向かうにつれて幅が狭くなる形状を有している場合に好適である。また、このような湾曲配置とするためには、図示形態のように湾曲弾性部材２６，２８を利用することが好ましい。
【００５９】
前述のように、パンツタイプ使い捨ておむつの外装体２０にフィット弾性部材２５，２６，２８を設ける場合、内装体１０と重なる領域の少なくとも幅方向中間部を細かく切断し、内装体１０の不必要な収縮を防止することが好ましいが、凹部１７ｕ，１９ｕと重なる部位まで切断すると、凹部変形用弾性部材３０を形成することができないため、図８に示すように、凹部変形用弾性部材３０となる部分を除く切断パターンＣＰによりフィット弾性部材２５，２６，２８を細かく切断することが好ましい。
【００６０】
吸収体１３には、フィット性や液拡散性等を向上する目的で、股間部分の吸収体１３にスリットやエンボス加工による凹部を設けることもできる。例えば、図１４に示すように、股間吸収体１８の幅方向中央部に腹側の凹部１７ｕから背側の凹部１９ｕに至る縦方向スリット１８Ｓ（エンボス加工等でも良い）を形成し、これを前後方向に延びる易折り曲げ部とすることができる。このような易折り曲げ部を設けると、従来の吸収体１３では、易折り曲げ部に起因する変形が腹側部分及び背側部分に影響を及ぼすおそれがあるが、図示形態では幅方向スリット１３Ｓによりその影響が少ないものとなる。
【産業上の利用可能性】
【００６１】
本発明は、上記例のようなパンツタイプ使い捨ておむつの他、テープタイプ、パッドタイプ等、使い捨ておむつ全般において利用できるものである。
【符号の説明】
【００６２】
Ｂ…後身頃、Ｆ…前身頃、ｄ１…隙間幅、ｄ２…深さ、１０…内装体、１１…液透過性表面シート、１２…液不透過性裏面側シート、１３…吸収体、１３Ｎ…括れ部分、１３Ｓ…幅方向スリット、１４…包装シート、１５…ギャザー不織布、１６…ギャザー弾性部材、１７…腹側吸収体、１７ｅ…後縁、１７ｕ，１９ｕ…凹部、１８…股間吸収体、１８Ｓ…縦方向スリット、１９…背側吸収体、１９ｅ…前縁、２０…外装体、２０Ｃ…折り返し部分、２１…サイドシール部、２４…ウエスト部弾性部材、２５…ウエスト下方部弾性部材、２６，２８…湾曲弾性部材、２６…背側湾曲弾性部材、２８…腹側湾曲弾性部材、２９…脚周りライン、３０…凹部変形用弾性部材。
【図１】
2016067366.tif 000003
【図２】
2016067366.tif 000004
【図３】
2016067366.tif 000005
【図４】
2016067366.tif 000006
【図５】
2016067366.tif 000007
【図６】
2016067366.tif 000008
【図７】
2016067366.tif 000009
【図８】
2016067366.tif 000010
【図９】
2016067366.tif 000011
【図１０】
2016067366.tif 000012
【図１１】
2016067366.tif 000013
【図１２】
2016067366.tif 000014
【図１３】
2016067366.tif 000015
【図１４】
2016067366.tif 000016